【手続補正書】
【提出日】平成15年12月19日(2003.12.19)
【手続補正１】
【補正対象書類名】明細書
【補正対象項目名】発明の名称
【補正方法】変更
【補正の内容】
【発明の名称】デザインレビュー処理システムおよびデザインレビュー処理プログラムを記録したコンピュータ読み取り可能な記録媒体
【手続補正２】
【補正対象書類名】明細書
【補正対象項目名】特許請求の範囲
【補正方法】変更
【補正の内容】
【特許請求の範囲】
【請求項１】
商品開発工程の各工程において必要な参考資料により必要な審査項目の評価を行うデザインレビュー処理システムにおいて、
ユーザ、開発工程名称、デザインレビュー工程名称、大分類・中分類・小分類よりなるチェック対象項目、デザインレビュー対象となる参考資料名称を含む情報を設定処理する第１の設定処理手段と、
プロジェクト名称を設定処理する第２の設定処理手段と、
チェック内容、問題点、成績を含む項目を有するデザインシートを設定処理する第３の設定処理手段と、プロジェクト名称に対応するデザインレビュー工程を設定処理する第４の設定処理手段と、
デザインレビュー工程とチェック対象項目の大分類・中分類とを選択することでデザインシートと参考資料を関連付けして設定処理する関連付け設定処理手段と、
を備えたことを特徴とするデザインレビュー処理システム。
【請求項２】
請求項１記載のデザインレビュー処理システムにおいて、
設定処理されたプロジェクト名称を選択処理する選択処理手段と、
開発工程の項目、開始・終了日およびデザインレビュー工程の項目、開始・終了日を入力して表示処理する第１の表示処理手段と、
デザインシートを表示して対応するデザインレビュー工程およびチェック対象項目を選択してチェック内容を入力して表示処理する第２の表示処理手段と、
表示されたチェック内容からデザインシートにコメント、合格・不合格判定を入力処理する入力処理手段と、
を設けたことを特徴とするデザインレビュー処理システム。
【請求項３】
請求項２記載のデザインレビュー処理システムにおいて、
入力処理したレビュー結果を表示するための検索条件を設定処理する検索条件設定手段と、
検索条件の設定処理によりレビュー結果を表示処理する検索結果表示処理手段と、
を設けたことを特徴とするデザインレビュー処理システム。
【請求項４】
請求項１乃至３のいずれかに記載のデザインレビュー処理システムにおいて、
デザインレビューの対象となる参考資料およびチェック対象項目のアクセス権限を設定処理するアクセス権限設定処理手段と、
レビュー結果、デザインレビュー工程、開発工程および参考資料の暗号化およびデジタル認証の処理を行う暗号化処理手段と、
暗号化など処理された各情報をデータベースに入力処理するデータベース入力処理手段と、
を設けたことを特徴とするデザインレビュー処理システム。
【請求項５】
請求項４記載のデザインレビュー処理システムにおいて、
デザインレビュー対象となる参考資料およびチェック対象項目のアクセス権限を判定処理するアクセス権限判定処理手段と、
アクセス権限ありと判定処理されたとき、データベース内に暗号化など処理されている各情報の検索処理を行うデータベース検索処理手段と、
暗号化など処理されているレビュー結果、デザインレビュー工程、開発工程、および参考資料の復号化処理を行う復号化処理手段と、
を設けたことを特徴とするデザインレビュー処理システム。
【請求項６】
商品開発工程の各工程において必要な参考資料により必要な審査項目の評価を行うデザインレビュー処理システムにおいて、
前記各工程ごとに必要なプロセスを定義するとともに時間軸管理で業務フローを設定処理するプロセス設定処理手段と、
各プロセスごとに入力情報を設定処理する入力情報設定処理手段と、
各プロセスごとに出力情報を設定処理する出力情報設定処理手段と、
プロセスごとに管理者を設定処理する管理者設定処理手段と、
各プロセスごとに関連する規定類を含む関連書類を設定処理する関連書類設定処理手段と、
業務フローに入力情報、出力情報、管理者、関連書類の関連付けを行う関連付け処理手段と、
設定処理した各情報からデザインレビュー対象となる参考資料を圧縮処理する参考資料圧縮処理手段と、
圧縮処理した参考資料を解凍処理して参照表示の処理を行う参照表示処理手段と、
を備えたことを特徴とするデザインレビュー処理システム。
【請求項７】
請求項６記載のデザインレビュー処理システムにおいて、
部品情報データベースシステムからの部品情報を圧縮処理した参考資料に入力処理する部品情報入力処理手段を設けたことを特徴とするデザインレビュー処理システム。
【請求項８】
請求項６又は７記載のデザインレビュー処理システムにおいて、
設計情報管理システムからの設計情報、障害履歴情報を含む情報を圧縮処理した参考資料に入力処理する設計情報入力処理手段を設けたことを特徴とするデザインレビュー処理システム。
【請求項９】
商品開発工程の各工程において必要な参考資料により必要な審査項目の評価を行うための第１のデザインレビュー処理プログラムを記録した媒体において、コンピュータに、
ユーザ、開発工程名称、デザインレビュー工程名称、大分類・中分類・小分類よりなるチェック対象項目、デザインレビュー対象となる参考資料名称を含む情報を設定処理する第１の設定処理手段と、
プロジェクト名称を設定処理する第２の設定処理手段と、
チェック内容、問題点、成績を含む項目を有するデザインシートを設定処理する第３の設定処理手段と、
プロジェクト名称に対応するデザインレビュー工程を設定処理する第４の設定処理手段と、
デザインレビュー工程とチェック対象項目の大分類・中分類とを選択することでデザインシートと参考資料を関連付けして設定処理する関連付け設定処理手段と、
として機能させるための第１のデザインレビュー処理プログラムを記憶したコンピュータ読み取り可能な記録媒体。
【請求項１０】
請求項９記載の第１のデザインレビュー処理プログラムを記録した媒体において、コンピュータに、
設定処理されたプロジェクト名称を選択処理する選択処理手段と、
開発工程の項目、開始・終了日およびデザインレビュー工程の項目、開始・終了日を入力して表示処理する第１の表示処理手段と、
デザインシートを表示して対応するデザインレビュー項目およびチェック対象項目を選択してチェック内容を入力して表示処理する第２の表示処理手段と、
表示されたチェック内容からデザインシートにコメント、合格・不合格判定を入力処理する入力処理手段と、
として機能させるための第１のデザインレビュー処理プログラムを記憶したコンピュータ読み取り可能な記録媒体。
【請求項１１】
請求項１０記載の第１のデザインレビュー処理プログラムを記録した媒体において、コンピュータに、
レビュー結果を表示するための検索条件を設定処理する検索条件設定手段と、
検索条件の設定処理によりレビュー結果を表示処理する検索結果表示処理手段と、
として機能させるための第１のデザインレビュー処理プログラムを記憶したコンピュータ読み取り可能な記録媒体。
【請求項１２】
請求項９乃至１１のいずれかに記載の第１のデザインレビュー処理プログラムを記録した媒体において、コンピュータに、
デザインレビューの対象となる参考資料およびチェック対象項目のアクセス権限を設定処理するアクセス権限設定処理手段と、
デザインレビュー判定結果、デザインレビュー工程、開発工程および参考資料の暗号化およびデジタル認証の処理を行う暗号化処理手段と、
暗号化など処理された各情報をデータベースに入力処理するデータベース入力処理手段と、
として機能させるための第１のデザインレビュー処理プログラムを記憶したコンピュータ読み取り可能な記録媒体。
【請求項１３】
請求項１２記載の第１のデザインレビュー処理プログラムを記録した媒体において、コンピュータに、
デザインレビュー対象となる参考資料およびチェック対象項目のアクセス権限を判定処理するアクセス権限判定処理手段と、
アクセス権限ありと判定処理されたとき、データベース内に暗号化など処理されている各情報の検索処理を行うデータベース検索処理手段と、
暗号化など処理されているデザインレビュー判定結果、デザインレビュー工程、開発工程、および参考資料の復号化処理を行う復号化処理手段と、
として機能させるための第１のデザインレビュー処理プログラムを記憶したコンピュータ読み取り可能な記録媒体。
【請求項１４】
商品開発工程の各工程において必要な参考資料により必要な審査項目の評価を行うための第２のデザインレビュー処理プログラムを記録した媒体において、コンピュータに、
前記各工程ごとに必要なプロセスを定義するとともに時間軸管理で業務フローを設定処理するプロセス設定処理手段と、
各プロセスごとに入力情報を設定処理する入力情報設定処理手段と、
各プロセスごとに出力情報を設定処理する出力情報設定処理手段と、
プロセスごとに管理者を設定処理する管理者設定処理手段と、
各プロセスごとに関連する規定類を含む関連書類を設定処理する関連書類設定処理手段と、
業務フローに入力情報、出力情報、管理者、関連書類の関連付けを行う関連付け処理手段と、
設定処理した各情報からデザインレビュー対象となる希望資料を圧縮処理する参考資料圧縮処理手段と、
圧縮処理した参考資料を解凍処理して参照表示の処理を行う参照表示処理手段と、
として機能させるための第２のデザインレビュー処理プログラムを記憶したコンピュータ読み取り可能な記録媒体。
【請求項１５】
請求項１４記載の第２のデザインレビュー処理プログラムを記録した媒体において、コンピュータに、
部品情報データベースシステムからの部品情報を圧縮処理した参考資料に入力処理する部品情報入力処理手段
として機能させるための第２のデザインレビュー処理プログラムを記憶したコンピュータ読み取り可能な記録媒体。
【請求項１６】
請求項１４又は１５記載の第２のデザインレビュー処理プログラムを記録した媒体において、コンピュータに、
設計情報管理システムからの設計情報、障害履歴情報を含む情報を圧縮処理した参考資料に入力処理する設計情報入力処理手段
として機能させるための第２のデザインレビュー処理プログラムを記憶したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、商品開発工程の各工程に対応したデザインレビュー工程で設計・製造品質の向上のためにデザインレビュー対象の参考資料をベースにチェック対象項目のチェック内容のチェックを行うデザインレビュー処理システムおよびデザインレビュー処理プログラムを記録したコンピュータ読み取り可能な記録媒体に関する。


【手続補正４】
【補正対象書類名】明細書
【補正対象項目名】００１３
【補正方法】変更
【補正の内容】
【００１３】
請求項７の発明は、部品情報データベースシステムからの部品情報を圧縮処理した参考資料に入力処理する部品情報入力処理手段６４を設けた。
請求項８の発明は、設計情報管理システムからの設計情報を圧縮処理した参考資料に入力処理する設計情報入力処理手段６５を設けた。
請求項９の発明は、商品開発工程の各工程において必要な参考資料により必要な審査項目の評価を行うための第１のデザインレビュー処理プログラムを記録した媒体において、コンピュータに、
ユーザ、開発工程名称、デザインレビュー工程名称、大分類・中分類・小分類よりなるチェック対象項目、デザインレビュー対象となる参考資料名称を含む情報を設定処理する第１の設定処理手段４１と、
プロジェクト名称を設定処理する第２の設定処理手段４２と、
チェック内容、問題点、成績を含む項目を有するデザインシートを設定処理する第３の設定処理手段４３と、
プロジェクト名称に対応するデザインレビュー工程を設定処理する第４の設定処理手段４４と、
デザインレビュー工程とチェック対象項目の大分類・中分類とを選択することでデザインシートと参考資料を関連付けして設定処理する関連付け設定処理手段４５と、
として機能させるための第１のデザインレビュー処理プログラムを記憶したコンピュータ読み取り可能な記録媒体よりなる。


【手続補正５】
【補正対象書類名】明細書
【補正対象項目名】００１４
【補正方法】変更
【補正の内容】
【００１４】
請求項１０の発明は、第１のデザインレビュー処理プログラムを記録した媒体において、コンピュータに、
設定処理されたプロジェクト名称を選択処理する選択処理手段４６と、
開発工程の項目、開始・終了日およびデザインレビュー工程の項目、開始・終了日を入力して表示処理する第１の表示処理手段４７と、
デザインシートを表示して対応するデザインレビュー項目およびチェック対象項目を選択してチェック内容を入力して表示処理する第２の表示処理手段４８と、
表示されたチェック内容からデザインシートにコメント、合格・不合格判定を入力処理する入力処理手段４９と、
として機能させるための第１のデザインレビュー処理プログラムを記憶したコンピュータ読み取り可能な記録媒体よりなる。


【手続補正６】
【補正対象書類名】明細書
【補正対象項目名】００１５
【補正方法】変更
【補正の内容】
【００１５】
請求項１１の発明は、第１のデザインレビュー処理プログラムを記録した媒体において、コンピュータに、
レビュー結果を表示するための検索条件を設定処理する検索条件設定手段５０と、
検索条件の設定処理によりレビュー結果を表示処理する検索結果表示処理手段５１と、
として機能させるための第１のデザインレビュー処理プログラムを記憶したコンピュータ読み取り可能な記録媒体よりなる。


【手続補正７】
【補正対象書類名】明細書
【補正対象項目名】００１６
【補正方法】変更
【補正の内容】
【００１６】
請求項１２の発明は、第１のデザインレビュー処理プログラムを記録した媒体において、コンピュータに、
デザインレビューの対象となる参考資料およびチェック対象項目のアクセス権限を設定処理するアクセス権限設定処理手段５２と、
デザインレビュー判定結果、デザインレビュー工程、開発工程および参考資料の暗号化およびデジタル認証の処理を行う暗号化処理手段５３と、
暗号化など処理された各情報をデータベースに入力処理するデータベース入力処理手段５４と、
として機能させるための第１のデザインレビュー処理プログラムを記憶したコンピュータ読み取り可能な記録媒体よりなる。


【手続補正８】
【補正対象書類名】明細書
【補正対象項目名】００１７
【補正方法】変更
【補正の内容】
【００１７】
請求項１３の発明は、第１のデザインレビュー処理プログラムを記録した媒体において、コンピュータに、
デザインレビュー対象となる参考資料およびチェック対象項目のアクセス権限を判定処理するアクセス権限判定処理手段５５と、
アクセス権限ありと判定処理されたとき、データベース内に暗号化など処理されている各情報の検索処理を行うデータベース検索処理手段５６と、
暗号化など処理されているデザインレビュー判定結果、デザインレビュー工程、開発工程、および参考資料の復号化処理を行う復号化処理手段５７と、
として機能させるための第１のデザインレビュー処理プログラムを記憶したコンピュータ読み取り可能な記録媒体よりなる。


【手続補正９】
【補正対象書類名】明細書
【補正対象項目名】００１８
【補正方法】変更
【補正の内容】
【００１８】
請求項１４の発明は、商品開発工程の各工程において必要な参考資料により必要な審査項目の評価を行うための第２のデザインレビュー処理プログラムを記録した媒体において、コンピュータに、
前記各工程ごとに必要なプロセスを定義するとともに時間軸管理で業務フローを設定処理するプロセス設定処理手段５８と、
各プロセスごとに入力情報を設定処理する入力情報設定処理手段５９と、
各プロセスごとに出力情報を設定処理する出力情報設定処理手段６０と、
プロセスごとに管理者を設定処理する管理者設定処理手段６１と、
各プロセスごとに関連する規定類を含む関連書類を設定処理する関連書類設定処理手段６２と、
業務フローに入力情報、出力情報、管理者、関連書類の関連付けを行う関連付け処理手段６２Ａと、
設定処理した各情報からデザインレビュー対象となる希望資料を圧縮処理する参考資料圧縮処理手段６３と、
圧縮処理した参考資料を解凍処理して参照表示の処理を行う参照表示処理手段６６と、
として機能させるための第２のデザインレビュー処理プログラムを記憶したコンピュータ読み取り可能な記録媒体よりなる。


【手続補正１０】
【補正対象書類名】明細書
【補正対象項目名】００１９
【補正方法】変更
【補正の内容】
【００１９】
請求項１５の発明は、第２のデザインレビュー処理プログラムを記録した媒体において、コンピュータに、
部品情報データベースシステムからの部品情報を圧縮処理した参考資料に入力処理する部品情報入力処理手段６４
として機能させるための第２のデザインレビュー処理プログラムを記憶したコンピュータ読み取り可能な記録媒体よりなる。


【手続補正１１】
【補正対象書類名】明細書
【補正対象項目名】００２０
【補正方法】変更
【補正の内容】
【００２０】
請求項１６の発明は、第２のデザインレビュー処理プログラムを記録した媒体において、コンピュータに、
設計情報管理システムからの設計情報、障害履歴情報を含む情報を圧縮処理した参考資料に入力処理する設計情報入力処理手段６５
として機能させるための第２のデザインレビュー処理プログラムを記憶したコンピュータ読み取り可能な記録媒体よりなる。